(57)【要約】【課題】構築物の外壁を改修する際に、ゴンドラの揺れを抑制して安定した作業床を形成することができる外壁改修構造および外壁改修工法を提供することを目的としている。【解決手段】構築物１の上部から構築物１の側方に吊り下げられたゴンドラ７、２０を鉛直方向に移動させる外壁改修工法において、ゴンドラ７、２０に対向する構築物の外壁２に鉛直方向に延在する第１のガイドレール３、１６を設け、第１のガイドレール３、１６にゴンドラ７、２０に取り付けられた第１のガイド治具６、１９を嵌合し、第１のガイド治具６、１９は第１のガイドレール３、１６に沿って摺動する。【選択図】      図１
2004293239.tif 000002
【特許請求の範囲】
【請求項１】
構築物の上部から該構築物の側方に吊り下げられたゴンドラを鉛直方向に移動させる外壁改修工法において、
前記ゴンドラに対向する前記構築物の外壁に鉛直方向に延在する第１のガイドレールを設け、該第１のガイドレールに前記ゴンドラに取り付けられた第１のガイド治具を嵌合し、該第１のガイド治具は前記第１のガイドレールに沿って摺動することを特徴とする外壁改修工法。
【請求項２】
請求項１記載の外壁改修工法において、
前記第１のガイドレールを前記外壁に設ける作業は、前記第１のガイドレールの一部を形成するレール部材を前記外壁に取り付ける第１の工程と、該第１の工程で前記外壁に取り付けられた前記レール部材に沿って前記ゴンドラを移動させる第２の工程とを繰り返すことを特徴とする外壁改修工法。
【請求項３】
請求項２記載の外壁改修工法において、
前記第１のガイドレールを前記外壁に設けた後に、前記第１のガイドレールに前記外壁を覆う改修部材を取り付ける第３の工程と、前記ゴンドラを前記第２の工程時と反対方向に向かって前記第１のガイドレールに沿って移動させる第４の工程とを繰り返すことを特徴とする外壁改修工法。
【請求項４】
請求項１から３のいずれかに記載の外壁改修工法において、
前記ゴンドラの側方の前記外壁に鉛直方向に延在する第２のガイドレールを設け、該第２のガイドレールに該第２のガイドレールに沿って摺動する第２のガイド治具を嵌合し、該第２のガイド治具に上下方向に移送される資機材を取り付けることを特徴とする外壁改修工法。
【請求項５】
構築物の上部から該構築物の側方に吊り下げられ鉛直方向に移動するゴンドラを備える外壁改修構造において、
前記ゴンドラに対向する前記構築物の外壁には鉛直方向に延在する第１のガイドレールが設けられ、前記ゴンドラには前記第１のガイドレールに嵌合するとともに該第１のガイドレールに沿って摺動する第１のガイド治具が取り付けられていることを特徴とする外壁改修構造。
【発明の詳細な説明】
【０００１】
【発明の属する技術分野】
本発明は、構築物の外壁を改修する際の外壁改修工法および外壁改修構造に関する。
【０００２】
【従来の技術】
一般に、構築物外装の改修を行う際には、構築物の廻りに作業床が必要である。構築物が中低層建物の場合には、地盤面から足場を組み立てて作業床を形成しているが、超高層建物の場合には、地盤面から足場を組み上げることはできないため、構築物の外壁等に張り出し足場材等をアンカーで支持して作業床を形成する。
【０００３】
また、足場を必要としない工法として、構築物の上部からゴンドラを吊り下げてこのゴンドラを作業床とする工法が中低層建物では実用化されている。これは、構築物上部に構築物の外方に張り出す吊り具が固定され、この吊り部の先端からワイヤが吊り降ろされ、ワイヤにはゴンドラに固定されたホイストが巻装されている構成からなっている。このゴンドラは、ホイストを巻き上げ或いは送り出すことによって鉛直方向に移動し、作業員がこのゴンドラに乗って外装パネルの張り付け等の作業を行う（例えば、特許文献１参照。）。
【０００４】
【特許文献１】
特開平７−２５９３２３号公報  （第２−３頁、第２図）
【０００５】
【発明が解決しようとする課題】
しかしながら、前者の従来の方法では、張り出し足場を構築物の外壁等にアンカーで支持するため、アンカーは構築物の外壁等に強固に定着されている必要がある。このため、外壁がカーテンウォールなどであり、強固なアンカーを設置することができない場合には使用できないという問題がある。
【０００６】
また、後者の従来の方法では、ゴンドラはワイヤで吊られている状態であり、揺れが生じるため作業床としては不安定である。特に、超高層建物の場合などでは上方の風は強いため、ゴンドラの揺れが大きくなる。このため、外装パネルの取り付けなどの大掛かりな改修工事を行うのは困難であり、外壁のクリーニングや塗装程度の改修が限界であるという問題がある。また、構築物全周をゴンドラで囲う工法によれば、ゴンドラの揺れを抑制することはできるが、施工コストが高くなるとともに工期も長くなるという問題がある。
【０００７】
本発明は、上記した従来の問題が考慮されたものであり、構築物の外壁を改修する際に、ゴンドラの揺れを抑制して安定した作業床を形成することができる外壁改修工法および外壁改修構造を提供することを目的としている。また、構築物の一面毎にゴンドラを設置することで、コストダウンおよび工期短縮を図ることができる外壁改修工法および外壁改修構造を提供することを目的としている。
【０００８】
【課題を解決するための手段】
請求項１記載の発明は、構築物の上部から該構築物の側方に吊り下げられたゴンドラを鉛直方向に移動させる外壁改修工法において、前記ゴンドラに対向する前記構築物の外壁に鉛直方向に延在する第１のガイドレールを設け、該第１のガイドレールに前記ゴンドラに取り付けられた第１のガイド治具を嵌合し、該第１のガイド治具は前記第１のガイドレールに沿って摺動することを特徴としている。
【０００９】
請求項５記載の発明は、構築物の上部から該構築物の側方に吊り下げられ鉛直方向に移動するゴンドラを備える外壁改修構造において、前記ゴンドラに対向する前記構築物の外壁には鉛直方向に延在する第１のガイドレールが設けられ、前記ゴンドラには前記第１のガイドレールに嵌合するとともに該第１のガイドレールに沿って摺動する第１のガイド治具が取り付けられていることを特徴としている。
【００１０】
このような特徴により、第１のガイド治具と第１のガイドレールとが嵌装されているため、第１のガイド治具が取り付けられたゴンドラは第１のガイドレールと連結され、ゴンドラの水平方向の揺れは規制される。また、第１のガイド治具は第１のガイドレールに沿って摺動するため、ゴンドラの鉛直方向への移動は第１のガイドレールに案内され、ゴンドラは第１のガイドレールに沿って移動する。
【００１１】
請求項２記載の発明は、請求項１記載の外壁改修工法において、前記第１のガイドレールを前記外壁に設ける作業は、前記第１のガイドレールの一部を形成するレール部材を前記外壁に取り付ける第１の工程と、該第１の工程で前記外壁に取り付けられた前記レール部材に沿って前記ゴンドラを移動させる第２の工程とを繰り返すことを特徴としている。
【００１２】
このような特徴により、第２の工程におけるゴンドラは第１の工程により外壁に設けられたレール部材に案内されて鉛直方向に移動するため、第１の工程における第１のガイドレールを形成する際の作業床として第２の工程におけるゴンドラが使用される。
【００１３】
請求項３記載の発明は、請求項２記載の外壁改修工法において、前記第１のガイドレールを前記外壁に設けた後に、前記第１のガイドレールに前記外壁を覆う改修部材を取り付ける第３の工程と、前記ゴンドラを前記第２の工程時と反対方向に向かって前記第１のガイドレールに沿って移動させる第４の工程とを繰り返すことを特徴としている。
【００１４】
このような特徴により、構築物の外壁に設けられた第１のガイドレールは、改修部材の下地材として転用される。
【００１５】
請求項４記載の発明は、請求項１から３のいずれかに記載の外壁改修工法において、前記ゴンドラの側方の前記外壁に鉛直方向に延在する第２のガイドレールを設け、該第２のガイドレールに該第２のガイドレールに沿って摺動する第２のガイド治具を嵌合し、該第２のガイド治具に上下方向に移送される資機材を取り付けることを特徴としている。
【００１６】
このような特徴により、第２のガイド治具と第２のガイドレールとが嵌装されているため、第２のガイド治具に取り付けられている資機材の水平方向への揺れは規制される。また、第２のガイド治具は第２のガイドレールに沿って摺動するため、吊り下げられる資機材の鉛直方向への移動はガイドレールに案内され、資機材は第２のガイドレールに沿って移動する。
【００１７】
【発明の実施の形態】
以下に本発明に係る外壁改修工法および外壁改修構造の実施の形態について説明する。図１、図２に示す符号１は超高層建物の既存の構築物を示し、図１は構築物１の外装を改修する際の状態を表した正面図であり、図２は構築物１の外装を改修する際の状態を表した断面図である。図１に示すように、構築物１にはＰＣカーテンウォールからなる外壁２が形成されており、外壁２は第１工区Ａと第２工区Ｂに分かれている。
【００１８】
まず、本発明に係る外壁改修構造の実施の形態について説明する。
【００１９】
［第１工区］
第１工区Ａは、外壁２に外装の下地縦材となる第１のガイドレール３および第２のガイドレール４を設ける工区である。第１工区Ａ内における外壁２の下端部には、鉛直方向に延在する２本の第１のガイドレール３、第２のガイドレール４および下地縦材５がそれぞれ設けられている。第１のガイドレール３は間をあけて配置されており、第２のガイドレール４は２本の第１のガイドレール３の側方に配置されており、下地縦材５は２本の第１のガイドレール３の間に配置されている。第１のガイドレール３、第２のガイドレール４および下地縦材５は、長材のレール部材２８を軸方向に並べてそれぞれ形成されており、レール部材２８は外壁２に打ち込まれた図示せぬ軽微なアンカーに取り付けられている。第１のガイドレール３、第２のガイドレール４および下地縦材５はそれぞれ一定の間隔で配置されている。
【００２０】
２本の第１のガイドレール３には、第１のガイドレール３に沿って摺動する第１のガイド治具６がそれぞれ嵌合されている。第１のガイド治具６は、箱形二層式の第１のゴンドラ７の下部両端にそれぞれ設けられている。第１のゴンドラ７は構築物１の側方に構築物１の外壁２に対向するように配置されており、二段の作業床７ａが形成されている。第１のゴンドラ７の上部には、外壁２方向に張り出されたブラケット部７ｂが形成されており、ブラケット部７ｂには水平方向に延在する水平レール部材８が外壁２と平行に設けられている。水平レール部材８には、レール部材２８を揚重するチェーンブロック９が嵌合されている。チェーンブロック９は水平レール部材８の軸方向に沿って移動され、吊り下げられるとともに巻き取り或いは送り出されるワイヤ９ａが備えられている。ワイヤ９ａの下端にはレール部材２８が取り付けられており、このレール部材２８はワイヤ９ａの巻き取り或いは送り出しによって鉛直方向に移送される。
【００２１】
第１のゴンドラ７の中間部には、二個の図示せぬホイストが間隔をあけて取り付けられており、図示せぬホイストは第１のゴンドラ７の重心位置から均等に振り分けられた位置に配置されている。二個の図示せぬホイストにはワイヤロープ１０がそれぞれ巻装されており、ワイヤロープ１０は図示せぬホイストによって巻き取り或いは送り出しがそれぞれ行われる。二本のワイヤロープ１０の先端は構築物１の上部に設けられた二個一組の吊り元部１１、１２にそれぞれ固定されており、第１のゴンドラ７は二本のワイヤロープ１０を介して吊り元部１１、１２から吊り下げられている。吊り元部１１、１２は、構築物１の上部に固定された基台部１１ａ、１２ａと、基台部１１ａ、１２ａの上部から構築物１の外方に張り出された張出部１１ｂ、１２ｂとから構成されている。図示せぬホイストによりワイヤロープ１０を巻き取り或いは送り出しをすることで、第１のゴンドラ７は上昇或いは下降される。
【００２２】
また、第２のガイドレール４には第２のガイドレール４に沿って摺動する第２のガイド治具１３が嵌合されており、第２のガイド治具１３にはレール部材２８が取り付けられている。第２のガイド治具１３に取り付けられたレール部材２８は、ワイヤロープ１４を介して構築物１上部に設置された揚重機１５から吊り下げられている。揚重機１５によりワイヤロープ１４を巻き取り或いは送り出しをすることで、第２のガイド治具１３に取り付けられたレール部材２８は鉛直方向に移送される。なお、第２のガイド治具１３には、レール部材２８に替えてその他の資機材を取り付けてもよく、揚重機１５は多種の資機材の揚重作業に使用される。
【００２３】
［第２工区］
一方、第２工区Ｂは、外壁２に設けられた第１のガイドレール１６および第２のガイドレール１７に外壁２を覆う改修材１８を設ける工区である。第２工区Ｂ内における外壁２には、鉛直方向に延在する第１のガイドレール１６、第２のガイドレール１７および下地縦材２９が各１本づつ設けられている。第１のガイドレール１６は第２のガイドレール１７および下地縦材２９の間に配置されており、それぞれの間は一定の間隔があけられている。第１のガイドレール１６、第２のガイドレール１７および下地縦材２９は、長材のレール部材２８を外壁２の下端部から上端部にかけて軸方向に並べられてそれぞれ形成されている。
【００２４】
第１のガイドレール１６には、第１のガイドレール１６に沿って摺動する第１のガイド治具１９が嵌合されている。第１のガイド治具１９は、箱形二層式の第２のゴンドラ２０の下部に設けられている。第２のゴンドラ２０は構築物１の側方に構築物１の外壁２に対向するように配置されており、二段の作業床２０ａが形成されている。第２のゴンドラ２０の中央部には、図示せぬホイストが取り付けられており、図示せぬホイストにはワイヤロープ２１がそれぞれ巻装されている。ワイヤロープ２１は図示せぬホイストによって巻き取り或いは送り出しがそれぞれ行われ、ワイヤロープ２１の先端は構築物１の上部に設けられた吊り元部２２に固定されている。第２のゴンドラ２０は一本のワイヤロープ２１を介して吊り元部２２から吊り下げられており、図示せぬホイストによりワイヤロープ２１を巻き取り或いは送り出しをすることで、第２のゴンドラ２０は上昇或いは下降される。
【００２５】
また、第２のガイドレール１７には第２のガイドレール１７に沿って摺動する第２のガイド治具２３が嵌合されており、第２のガイド治具２３には矩形板からなるパネル材２４が取り付けられている。第２のガイド治具２３に取り付けられたパネル材２４は、ワイヤロープ２５を介して構築物１上部に設置された揚重機２６から吊り下げられている。揚重機２６によりワイヤロープ２５を巻き取り或いは送り出しをすることで、第２のガイド治具２３に取り付けられた改修材１８は鉛直方向に移送される。なお、第２のガイド治具２３には、パネル材２４に替えて長棒材からなる下地横材２７を取り付けてもよく、この場合には下地横材２７は鉛直方向に移送される。
【００２６】
また、第１のガイドレール１６、第２のガイドレール１７および下地縦材２９には、水平方向に延在する下地横材２７が一定の間隔をあけて複数の配置されている。下地横材２７にはパネル材２４が複数配設され、パネル材２４によって外壁２は覆われる。外壁２を覆う改修材１８は、上記したパネル材２４と下地横材２７とによって構成されている。
【００２７】
次に、上記した構成からなる外壁改修構造による外壁改修工法の実施の形態について説明する。
【００２８】
まず、第１工区Ａでは、構造物１の上部に吊り元部１１、１２および揚重機１５をそれぞれ設置する。そして、第１のゴンドラ７に設けられた図示せぬホイストにそれぞれ巻装されたワイヤロープ１０の先端を吊り元部１１、１２の張出部１１ｂ、１２ｂの先端に取り付けて、第１のゴンドラ７を吊り元部１１、１２から構造物１の側方に吊り下げる。また、第１のガイドレール３、第２のガイドレール４および下地縦材５の最下段を形成するレール部材２８を外壁２の下部に鉛直に取り付ける。そして、第１のゴンドラ７に設けられた第１のガイド治具６を第１のガイドレール３の最下段を形成するレール部材２８にそれぞれ嵌合し、第２のガイド治具１３を第２のガイドレール４の最下段を形成するレール部材２８に嵌合する。
【００２９】
次に、第１のガイドレール３、第２のガイドレール４および下地縦材５を形成するレール部材２８を外壁２に取り付ける第１の工程を行う。地表上に仮置きされたレール部材２８を第２のガイド治具１３に取り付け、揚重機１５によってワイヤロープ１４を巻き上げて第１のゴンドラ７横までレール部材２８を移送する。このレール部材２８を第１のゴンドラ７に取り付けられたチェーンブロック９のワイヤ９ａの下端に取り付けるとともにレール部材２８から第２のガイド治具１３を取り外す。チェーンブロック９を水平レール部材８に沿って水平移動させ、チェーンブロック９に吊るされたレール部材２８を既に外壁２に取り付けられたレール部材２８の上方に配置する。そして、既に外壁２に取り付けられたレール部材２８の上端部とチェーンブロック９に吊るされたレール部材２８の下端部とを連結するとともにチェーンブロック９に吊るされたレール部材２８を外壁２に図示せぬ軽微なアンカーで取り付ける。
【００３０】
次に、上記した第１の工程で外壁２に取り付けられたレール部材２８に沿って第１のゴンドラ７を移動させる第２の工程を行う。第１のゴンドラ７に備えられた図示せぬホイストのワイヤホース１０をそれぞれ巻き取り、第１のゴンドラ７を上昇させる。このとき、第１のゴンドラ７に設けられた第１のガイド治具６は、外壁２に取り付けられたレール部材２８に沿って摺動する。
【００３１】
上記した第１の工程と第２の工程とを繰り返して、外壁２に第１のガイドレール３を形成する。また、第１のゴンドラ７を上昇させるとともに、揚重機１５に吊るされたレール部材２８を第２のガイドレール４および下地縦材５の最下段を形成するために既に外壁２に取り付けられた各々のレール部材２８の上方に配置し、レール部材２８を軸方向に連結していき第２のガイドレール４および下地縦材５を形成する。上記した作業手順により、第１のガイドレール３、第２のガイドレール４および下地縦材５を構築物１の上端部まで形成するとともに、第１のゴンドラ７を構築物１の上端部まで移動させる。
【００３２】
一方、第２工区Ｂでは、第１のガイドレール１６、第２のガイドレール１７および下地縦材２９に外壁２を覆う改修部材１８を取り付ける第３の工程を行う。まず、第１のガイドレール１６、第２のガイドレール１７および下地縦材２９に水平方向に延在する下地横材２７を取り付ける。次に、この下地横材２７にパネル材２４を張り付けて、外壁２を覆う改修部材１８を形成する。この作業は、構築物１の上部に設置された吊り部２２から吊り下げられている第２のゴンドラ２０の作業床２０ａ上から行う。また、地表上に仮置きされたパネル材２４或いは下地横材２７を第２のガイド治具２３に取り付けて、揚重機２６のワイヤロープ２５を巻き上げ、パネル材２４或いは下地横材２７を第２のゴンドラ２０まで移送する。
【００３３】
次に、第２のゴンドラ２０を第２の工程時と反対の方向である下方に向かって第２のガイドレール１６に沿って移動させる第４の工程を行う。第２のゴンドラ２０に設けられた図示せぬホイストのワイヤロープ２１を送り出し、第２のゴンドラ２０を下降させる。このとき、第２のゴンドラ２０に設けられた第１のガイド治具１９は第１のガイドレール１６に沿って摺動する。上記した第３の工程と第４の工程とを繰り返し行い、外壁２の下端部まで改修部材１８を取り付ける。最下段の改修部材１８を取り付ける際、第２のゴンドラ２０は地表面上に位置する。この第２のゴンドラ２０、吊り部２２および揚重機２６を撤去して外壁改修工事を完了する。
【００３４】
また、前記した第１工区Ａにおける第１のガイドレール３および第２のガイドレール４を構築物１の上端部まで形成した後に、上記した第２工区Ｂの場合と同様に、下地横材２７およびパネル部２４を取り付けて外壁２を改修部材１８で覆う第３の工程と、第１のゴンドラ７を下降させる第４の工程とを繰り返し行うことで外壁２を改修部材１８で覆う。
【００３５】
上記した外壁改修工法および外壁改修構造によれば、第１のガイド治具６、１９と第１のガイドレール３、１６とが嵌装されているため、第１のガイド治具６、１９が取り付けられた第１のゴンドラ７および第２のゴンドラ２０は第１のガイドレール３，１６と連結され、第１のゴンドラ７および第２のゴンドラ２０の水平方向の揺れはそれぞれ規制される。また、第１のガイド治具６，１９は第１のガイドレール３，１６に沿って摺動するため、第１のゴンドラ７および第２のゴンドラ２０の鉛直方向への移動は第１のガイドレール３、１６にそれぞれ案内され、第１のゴンドラ７および第２のゴンドラ２０は第１のガイドレール３，１６に沿ってそれぞれ移動する。これによって、外壁改修を行う際に、第１のゴンドラ７および第２のゴンドラ２０を上下方向に移動させることができるとともに安定した作業床７ａ、２０ａを形成することができ、風の強い場合にも作業することができる。また、構築物１の一面毎に第１のゴンドラ７および第２のゴンドラ２０を設置することで、第１のゴンドラ７等の設備は軽減され、コストダウンおよび工期短縮を図ることができる。
【００３６】
また、第２の工程における第１のゴンドラ７は第１の工程により外壁２に設けられたレール部材２８に案内されて鉛直方向に移動するため、第１の工程における第１のガイドレール３を形成する際の作業床として第２の工程における第１のゴンドラ７が使用される。これによって、第１のガイドレール３を形成する際に足場を組み立てる作業を省略することができる。
【００３７】
また、構築物１の外壁２に設けられた第１のガイドレール３、１６および第２のガイドレール４、１７は、改修部材１８の下地縦材５、２９として転用されるため、第１のガイドレール３、１６および第２のガイドレール４、１７を撤去する手間は省略することができるとともに、新たに下地縦材５、２９を取り付ける手間を省略することができる。
【００３８】
また、第２のガイド治具１３、２３と第２のガイドレール４、１７とが嵌装されているため、第２のガイド治具１３，２３に取り付けられているレール部材２８やパネル材２４や下地横材２７等の資機材の水平方向への揺れは規制される。また、第２のガイド治具１３、２３は第２のガイドレール４、１７に沿って摺動するため、吊り下げられる資機材の鉛直方向への移動は第２のガイドレール４、１７に案内され、資機材は第２のガイドレール４、１７に沿って移動する。これによって、レール部材２８やパネル材２４や下地横材２７等の資機材を安定した状態で揚重することができ、風の強い場合にも揚重作業することができる。
【００３９】
以上、本発明に係る外壁改修工法および外壁改修構造の実施の形態について説明したが、本発明は上記した実施の形態に限定されるものではなく、その趣旨を逸脱しない範囲で適宜変更可能である。例えば、上記した実施の形態では二層式の第１のゴンドラ７および第２のゴンドラ２０を使用しているが、本発明は一層式や三層式のゴンドラでもよく、二層式のゴンドラに限定されるものではない。一層式のゴンドラの場合はゴンドラ重量が軽量になるため、吊り元部やゴンドラの駆動機構（ホイスト）を軽微なものにすることができ、また三層式の場合はさらに作業性が良くなる。
【００４０】
また、上記した実施の形態では第１のゴンドラ７については二本のワイヤロープ１０によって吊り下げられており、第２のゴンドラ２０については一本のワイヤロープ２１によって吊り下げられているが、本発明は一層式のゴンドラでもよく、一本や二本のワイヤロープに限らず、三本や四本など複数のワイヤロープで吊るしてもよい。また、上記した実施の形態ではゴンドラは図示せぬホイストによって駆動しているが、本発明はその他の駆動方法によりゴンドラを駆動させてもよく、上記した実施の形態は種々の駆動方法の一例である。無論、吊り元部の形状も種々の駆動方法によって種々の態様があり、またワイヤーロープによるゴンドラの吊り下げ方法も種々の態様がある。
【００４１】
また、上記した実施の形態では第１工区Ａと第２工区Ｂとに区分けしているが、本発明は構築物１の一面毎に１工区としてもよく、また構築物１の一面に３工区以上設けてもよい。また、第１工区Ａや第２工区Ｂにおける下地縦材５、第１のガイドレール３、１６および第２のガイドレール４、１７の配置は必ずしも上記した実施の形態のとおりの配置とは限らず、様々な配置でもよい。例えば第１工区Ａにおいてガイドレールの外側に下地縦材を設けてもよく、また第２工区Ｂにおいて二本のガイドレールの間に下地縦材を配置してもよい。また、ガイドレールを１本或いは３本以上設けてもよく、または下地縦材を２本以上設けてもよく、されに下地縦材を設けなくてもよい。
【００４２】
また、上記した実施の形態では下地縦材５、第１のガイドレール３、１６および第２のガイドレール４、１７はそれぞれ地盤面から配置されているが、本発明は下地縦材５、第１のガイドレール３、１６および第２のガイドレール４、１７を上部のみ、或いは中間部のみに設けてもよく、構築物１の一部のみにおいて改修を行ってもよい。また、上記した実施の形態では下地縦材５、第１のガイドレール３、１６および第２のガイドレール４、１７を構成するレール部材２８は軽微なアンカーによって外壁２に取り付けられているが、本発明は接着剤によりレール部材２８を外壁２に取り付けてもよく、またアンカーおよび接着剤を併用してもよい。また、上記した実施の形態では、構築物１の外壁２を改修材１８で覆う場合について説明しているが、本発明は構築物１の外壁２をクリーニングや塗装する場合でもよい。
【００４３】
【発明の効果】
以上のとおり説明した外壁改修工法および外壁改修構造によれば、第１のガイド治具と第１のガイドレールとが嵌装されているため、第１のガイド治具が取り付けられたゴンドラは第１のガイドレールと連結され、ゴンドラの水平方向の揺れは規制される。また、第１のガイド治具は第１のガイドレールに沿って摺動するため、ゴンドラの鉛直方向への移動は第１のガイドレールに案内され、ゴンドラは第１のガイドレールに沿って移動する。これによって、外壁改修を行う際に、ゴンドラを上下方向に移動させることができるとともに安定した作業床を形成することができ、風の強い場合にも作業することができる。また、構築物の一面毎にゴンドラを設置することで、ゴンドラ等の設備は軽減され、コストダウンおよび工期短縮を図ることができる。
【図面の簡単な説明】
【図１】本発明に係る外壁改修工法および外壁改修構造の実施の形態を説明するための正面図である。
【図２】本発明に係る外壁改修工法および外壁改修構造の実施の形態を説明するための断面図である。
【符号の説明】
１  構築物
２  外壁
３、１６  第１のガイドレール
４，１７  第２のガイドレール
６、１９  第１のガイド治具
７  第１のゴンドラ（ゴンドラ）
１３、２３  第２のガイド治具
１８  改修部材
２０  第２のゴンドラ（ゴンドラ）
２４  パネル材（資機材）
２７  下地横材（資機材）
２８  レール部材（資機材）
【図１】
2004293239.tif 000003
【図２】
2004293239.tif 000004